(57)【要約】【課題】高いコントラストが得られるとともに、モアレの発生を抑制することで鮮明な画像を得ることが可能なスクリーンを提供する。【解決手段】本発明のスクリーン１は、光を反射する光反射層と、光反射層の視認側に突出する複数の庇状の遮光部材６を含む遮光層と、を備え、複数の遮光部材６の各々が、表示面の水平方向および垂直方向に対して傾いた方向に延在している。【選択図】図１
2010197565.tif 000002
【特許請求の範囲】
【請求項１】
投射画像を表示する表示面を有するスクリーンであって、
光を反射する光反射層と、
前記光反射層の視認側に突出する複数の庇状の遮光部材を含む遮光層と、を備え、
前記複数の遮光部材の各々が、前記表示面の水平方向および垂直方向に対して傾いた方向に延在していることを特徴とするスクリーン。
【請求項２】
前記遮光部材は、一面が光吸収性を有するとともに他面が光反射性を有することを特徴とする請求項１に記載のスクリーン。
【請求項３】
前記複数の遮光部材は、前記表示面の水平方向および垂直方向に対して延在方向が所定の方向に傾いた第１遮光部材と、前記表示面の水平方向および垂直方向に対する傾き方向が前記第１遮光部材とは異なる第２遮光部材と、を含むことを特徴とする請求項１または２に記載のスクリーン。
【請求項４】
前記遮光層は、前記第１遮光部材を含む第１遮光層と、前記第２遮光部材を含む第２遮光層とが積層されてなることを特徴とする請求項３に記載のスクリーン。
【請求項５】
隣り合う２つの前記第１遮光部材の間隔、隣り合う２つの前記第２遮光部材の間隔のうちの少なくとも一方が一定でないことを特徴とする請求項３または４に記載のスクリーン。
【請求項６】
前記第１遮光部材の延在方向および前記第２遮光部材の延在方向と前記表示面の水平方向とのなす角度が４５°よりも小さいことを特徴とする請求項３ないし５のいずれか一項に記載のスクリーン。
【請求項７】
前記第１遮光部材の延在方向および前記第２遮光部材の延在方向と前記表示面の垂直方向とのなす角度が４５°よりも小さいことを特徴とする請求項３ないし５のいずれか一項に記載のスクリーン。
【請求項８】
隣り合う２つの前記第１遮光部材と隣り合う２つの前記第２遮光部材とによって囲まれた領域の平面形状が菱形を呈することを特徴とする請求項３ないし７のいずれか一項に記載のスクリーン。
【請求項９】
投射画像を表示する矩形状の表示面を有するスクリーンであって、
光を反射する光反射層と、
前記光反射層の視認側に突出する複数の庇状の遮光部材を含む遮光層と、を備え、
前記複数の遮光部材の各々が、前記表示面の長手方向および短手方向に対して傾いた方向に延在していることを特徴とするスクリーン。
【請求項１０】
請求項１ないし９のいずれか一項に記載のスクリーンと、前記スクリーンに対して画像光を投射するプロジェクターと、を備えたことを特徴とするプロジェクションシステム。
【発明の詳細な説明】
【技術分野】
【０００１】
本発明は、スクリーンおよびプロジェクションシステムに関する。
【背景技術】
【０００２】
一般に、フロント投射型のプロジェクターは、投射光を反射させて画像を表示する反射型スクリーンと組み合わせて用いられる。この種のスクリーンは、暗室環境下においては高コントラストの画像を容易に得ることができる。その一方、会議室や一般家庭のリビングルーム、学校の教室などの明室環境下においては、外乱光の反射の影響でスクリーンが明るくなってしまい、高コントラストで鮮やかな画像を得ることが難しい。
【０００３】
そこで、高コントラストの画像を得るために、例えばスクリーン裏面側に四角錐台形状の単位構造を連続的に配置し、単位構造の隙間に吸収体を充填した構成を有するスクリーンが提案されている（例えば、特許文献１参照）。あるいは、表面に多数の凹部が形成され、凹部と凹部との間の壁部の表面に反射低減処理が施されたスクリーンが提案されている（例えば、特許文献２参照）。
【先行技術文献】
【特許文献】
【０００４】
【特許文献１】特開２００６−２４３６９１号公報
【特許文献２】特開平５−３３３４３４号公報
【発明の概要】
【発明が解決しようとする課題】
【０００５】
特許文献１に記載のスクリーンは、同一形状、同一寸法の四角錐台状の単位構造を格子状に並べた構成となっているため、設計や製造が容易である反面、プロジェクターに用いられる液晶ライトバルブ等の光変調素子の画素構造との干渉によってスクリーン上でモアレが発生し、鮮明な画像が得られない可能性が高い。また、特許文献２に記載のスクリーンも、多数の凹部が一定の間隔で規則的に形成されているため、特許文献１のものと同様、モアレが発生し、鮮明な画像が得られない可能性が高い。
【０００６】
本発明は、上記の課題を解決するためになされたものであって、高いコントラストが得られるとともに、モアレの発生を抑制することで鮮明な画像を得ることが可能なスクリーン、およびこのスクリーンを備えたプロジェクションシステムを提供することを目的とする。
【課題を解決するための手段】
【０００７】
上記の目的を達成するために、本発明のスクリーンは、投射画像を表示する表示面を有するスクリーンであって、光を反射する光反射層と、前記光反射層の視認側に突出する複数の庇状の遮光部材を含む遮光層と、を備え、前記複数の遮光部材の各々が、前記表示面の水平方向および垂直方向に対して傾いた方向に延在していることを特徴とする。
【０００８】
本発明によれば、表示面の法線に対して小さい角度で入射する画像光は、遮光層によってさほど遮られることなく、光反射層において効率良く反射する。一方、表示面の法線に対して大きい角度で入射する外乱光は、複数の庇状の遮光部材で遮断され、光反射層のうち、遮光部材の影となる部分には到達しない。このように、外乱光に比べて画像光の方をより多く反射するので、コントラストの高い画像を表示することができる。また、プロジェクターのライトバルブが有する複数の画素は表示面の水平方向および垂直方向に格子状に配列されているが、本発明のスクリーンでは、各遮光部材が表示面の水平方向および垂直方向に対して傾いた方向に延在しており、画素の配列方向と交差するため、光の干渉が起こり難くなり、モアレの発生を抑制できる。
【０００９】
本発明のスクリーンにおいて、前記遮光部材は、一面が光吸収性を有するとともに他面が光反射性を有することが望ましい。
一般に画像光と外乱光は互いに異なる方向から表示面に入射すると考えたとき、この構成によれば、外乱光を遮光部材の一面で吸収させて確実に減衰させるとともに、画像光を遮光部材の他面で効率良く反射させ、コントラストを高めることができる。
【００１０】
本発明のスクリーンにおいて、前記複数の遮光部材は、前記表示面の水平方向および垂直方向に対して延在方向が所定の方向に傾いた第１遮光部材と、前記表示面の水平方向および垂直方向に対する傾き方向が前記第１遮光部材とは異なる第２遮光部材と、を含むことが望ましい。
この構成によれば、表示面の水平方向および垂直方向に対する傾き方向が互いに逆方向の第１遮光部材と第２遮光部材とを備えているので、いずれの方向から見ても画像の明るさやコントラストが均等なスクリーンが実現できる。
【００１１】
本発明のスクリーンにおいて、前記遮光層としては、前記第１遮光部材を含む第１遮光層と、前記第２遮光部材を含む第２遮光層とが積層されてなる構成を採用できる。
この構成によれば、第１遮光部材と第２遮光部材とを備えたスクリーンの製作が容易になるとともに、各遮光部材の形状、配置等の設計の自由度が高まる。
【００１２】
本発明のスクリーンにおいて、隣り合う２つの前記第１遮光部材の間隔、隣り合う２つの前記第２遮光部材の間隔のうちの少なくとも一方が一定でないことが望ましい。
この構成によれば、規則的に配置された画素との間での干渉がより起こり難くなり、モアレの発生をより確実に抑制できる。
【００１３】
本発明のスクリーンにおいて、前記第１遮光部材の延在方向および前記第２遮光部材の延在方向と前記表示面の水平方向とのなす角度が４５°よりも小さい構成を採用できる。
この構成によれば、各遮光部材の延在方向が表示面の水平方向に近いため、光反射層からの反射光の射出角度が表示面の水平方向でより広がり、水平方向に広い視野角特性を有するスクリーンを実現できる。
【００１４】
もしくは、本発明のスクリーンにおいて、前記第１遮光部材の延在方向および前記第２遮光部材の延在方向と前記表示面の垂直方向とのなす角度が４５°よりも小さい構成を採用できる。
この構成によれば、各遮光部材の延在方向が表示面の垂直方向に近いため、光反射層からの反射光の射出角度が表示面の垂直方向でより広がり、垂直方向に広い視野角特性を有するスクリーンを実現できる。
【００１５】
本発明のスクリーンにおいて、隣り合う２つの前記第１遮光部材と隣り合う２つの前記第２遮光部材とによって囲まれた領域の平面形状が菱形を呈するものであっても良い。
この構成によれば、例えば上記領域の平面形状が正方形を呈するものに比べて  表示面の単位面積あたりの外乱光の遮光面積の割合を大きくでき、コントラストをより高められる。この点については後述する。
【００１６】
本発明のスクリーンは、投射画像を表示する矩形状の表示面を有するスクリーンであって、光を反射する光反射層と、前記光反射層の視認側に突出する複数の庇状の遮光部材を含む遮光層と、を備え、前記複数の遮光部材の各々が、前記表示面の長手方向および短手方向に対して傾いた方向に延在していることを特徴とする。
本発明のスクリーンによれば、各遮光部材が表示面の長手方向および短手方向に対して傾いた方向に延在しており、画素の配列方向と交差するため、光の干渉が起こり難くなり、モアレの発生を抑制できる。
【００１７】
本発明のプロジェクションシステムは、上記本発明のスクリーンと、スクリーンに対して画像光を投射するプロジェクターと、を備えたことを特徴とする。
本発明によれば、上記本発明のスクリーンを備えているため、高コントラストで鮮明な画像を表示可能なプロジェクションシステムを構築できる。
【図面の簡単な説明】
【００１８】
【図１】本発明の第１実施形態のスクリーンを示す平面図である。
【図２】本実施形態のスクリーンの断面図である。
【図３】本実施形態のスクリーンの作用、効果を説明するための図である。
【図４】本発明の第２実施形態のスクリーンを示す平面図である。
【図５】本実施形態のスクリーンの断面図である。
【図６】本実施形態のスクリーンの作用、効果を説明するための図である。
【図７】本発明の第３実施形態のスクリーンを示す平面図である。
【図８】本発明のスクリーンの作用、効果を説明するための図である。
【図９】複数の遮光部材を菱形に組み合わせたときの効果を説明するための図である。
【図１０】本発明のプロジェクションシステムの一例を示す図である。
【発明を実施するための形態】
【００１９】
［第１実施形態］
以下、本発明の第１実施形態について図１〜図３を参照して説明する。
本実施形態のスクリーンは、フロント型プロジェクターからの画像光が投射される反射型スクリーンである。
図１は本実施形態のスクリーンを拡大視した平面図である。図２は図１のＡ−Ａ線に沿う断面図である。図３は本実施形態のスクリーンの作用、効果を説明するための図である。
なお、以下の図面では、スクリーンの表示面の水平方向をＸ方向、垂直方向をＹ方向、法線方向をＺ方向とする。また、図面上で各構成要素を見やすくするため、構成要素によっては他の構成要素と寸法の縮尺を変えて示すことがある。なお、表示面の水平方向、垂直方向とは、スクリーンに投射される画像を構成する画素の配列における水平方向、垂直方向に対応している。
【００２０】
本実施形態のスクリーン１は、図２に示すように、基材層２と、光反射層３と、光反射層３の視認側に設けられた遮光層４と、の積層構造で構成されている。光反射層３は、従来一般のスクリーンに用いられているものと同様で良く、例えば白色の樹脂シート等を用いることができる。また、光反射層３の視認側に反射光を拡散させる光拡散層を備えていても良い。遮光層４は、所定の方向から入射された光を遮断する特性を有し、光透過層５と複数の遮光部材６とから構成されている。また、説明の便宜上、遮光層４側の最表面を、スクリーン１の「表示面４Ａ」と呼ぶことにする。スクリーン１の表示面４Ａは横長の長方形であり、表示面４Ａの長手方向が水平方向、短手方向が垂直方向に対応する。
【００２１】
光透過層５は、例えば透明樹脂等の材料で構成されている。本実施形態のスクリーン１は、表示面４Ａの斜め下方に配置されたプロジェクターＰＪから画像光Ｌ１が投射される一方、表示面４Ａの斜め上方から外乱光Ｌ２が照射される環境で使用されることを前提としている。また、画像光Ｌ１は表示面４Ａの法線に対して相対的に小さい角度で入射する一方、外乱光Ｌ２は表示面４Ａの法線に対して相対的に大きい角度で入射する。このような前提の下、各遮光部材６は、下面側が光反射層７、上面側が光吸収層８の２層構造となっている。各遮光部材６の光反射層７は、光反射層３と同様、例えば白色の樹脂層等を用いても良いし、金属膜等を用いても良い。一方、光吸収層８は、例えば黒色の樹脂層等を用いても良い。
【００２２】
各遮光部材６は長尺の板状部材であって、複数の遮光部材６が光反射層３の表面から一定間隔をおいて庇状に突出するように設置されている。以下、遮光部材６の長手方向をスクリーン１の水平方向に一致させた状態から遮光部材６を回転させたときに、遮光部材６の長手方向とスクリーン１の水平方向とのなす角度を「遮光部材６の回転角度θ」と定義し、時計回りに回転させたときの回転角度を正の値、反時計回りに回転させたときの回転角度を負の値で記すことにする。
【００２３】
複数の遮光部材６は、図１に示すように、回転角度が０°＜θ＜＋４５°である複数の第１遮光部材６Ａ（図１において右下がりに延在する遮光部材）と、回転角度が０°＜θ＜−４５°である複数の第２遮光部材６Ｂ（図１において右上がりに延在する遮光部材）と、を含んでいる。本実施形態においては、複数の第１遮光部材６Ａ、複数の第２遮光部材６Ｂを構成する各遮光部材６は、互いに平行で等間隔に配置されている。また、第１遮光部材６Ａの回転角度θと第２遮光部材６Ｂの回転角度６Ｂとは、絶対値が等しく、符号が逆である。すなわち、複数の第１遮光部材６Ａと複数の第２遮光部材６Ｂとが組み合わされ、隣り合う２つの第１遮光部材６Ａと隣り合う２つの第２遮光部材６Ｂとによって囲まれた領域が菱形を呈している。
【００２４】
本実施形態のスクリーン１によれば、図２に示すように、スクリーン１の表示面４Ａに対して斜め下側で表示面４Ａの法線に対して相対的に小さい角度から入射する画像光Ｌ１は、遮光部材６の光反射層７、もしくは光反射層３で反射し、高い効率でスクリーン１の視認側に戻ってくる。一方、表示面４Ａに対して斜め上側で表示面４Ａの法線に対して相対的に大きい角度から入射する外乱光Ｌ２は、複数の遮光部材６で遮断されるとともに光吸収層８で吸収され、光反射層３のうち、遮光部材６の影となる部分には到達しない。このように、本実施形態のスクリーン１は、外乱光Ｌ２に比べて画像光Ｌ１の方をより多く反射するので、コントラストの高い画像を表示することができる。
【００２５】
仮に上記の第１遮光部材６Ａ、第２遮光部材６Ｂがスクリーンの水平方向および垂直方向と平行に配置されていたとすると、例えば液晶ライトバルブのブラックマトリクス等からなる画素の格子構造もスクリーンの水平方向および垂直方向と平行であるため、図３（Ａ）に示すように、破線で示す画素の格子構造Ｓ１と実線で示す遮光部材Ｂ１，Ｂ２とは、ピッチは異なるとしても、略重なったり、非常に近接して位置したりする箇所（２点鎖線で示した箇所Ｍ）ができる。このような箇所Ｍで光が干渉し、モアレが発生する。
【００２６】
これに対して、本実施形態のスクリーン１によれば、第１遮光部材６Ａ、第２遮光部材６Ｂがスクリーン１の水平方向および垂直方向に対して傾いて配置されているため、図３（Ｂ）に示すように、破線で示す画素の格子構造Ｓ１と実線で示す遮光部材６とが交差することになる。その結果、光の干渉が起こり難くなり、モアレの発生を抑制できる。
【００２７】
また、遮光層４を構成する各遮光部材６がスクリーン１の表面に露出しておらず、光透過層５に被覆されているので、光透過層５によって遮光部材６が保護され、遮光部材６の破損等が生じにくくなるとともに、スクリーンの取り扱いが容易になる。
【００２８】
［第２実施形態］
以下、本発明の第２実施形態について図４〜図６を参照して説明する。
本実施形態のスクリーンの基本構成は第１実施形態と共通するが、遮光層の構成と遮光層に含まれる遮光部材の配置が第１実施形態と異なっている。
図４は本実施形態のスクリーンを拡大視した平面図である。図５は図４のＡ−Ａ線に沿う断面図である。図６は本実施形態のスクリーンの作用、効果を説明するための図である。
なお、これら図４〜図６において、第１実施形態で用いた図１〜図３と共通の構成要素には同一の符号を付し、詳細な説明は省略する。
【００２９】
本実施形態のスクリーン１１は、図５に示すように、光反射層３の視認側に第１遮光層１２、第２遮光層１３からなる２層の遮光層が積層された形態となっている。複数の遮光部材１６のうち、回転角度θが０°＜θ＜＋４５°である複数の第１遮光部材１６Ａ（図５において右下がりに延在する遮光部材）は第１遮光層１２を構成し、回転角度θが０°＜θ＜−４５°である複数の第２遮光部材１６Ｂ（図５において右上がりに延在する遮光部材）は第２遮光層１３を構成する。すなわち、第１遮光層１２は複数の第１遮光部材１６Ａとこれら第１遮光部材１６Ａを覆う光透過層５で構成され、第２遮光層１３は複数の第２遮光部材１６Ｂとこれら第２遮光部材１６Ｂを覆う光透過層５で構成されている。したがって、本実施形態の場合、複数の第１遮光部材１６Ａと複数の第２遮光部材１６Ｂとは同一面上には位置しないが、スクリーン１１を正面から見たときには、図４に示すように、隣り合う２つの第１遮光部材１６Ａと隣り合う２つの第２遮光部材１６Ｂとによって囲まれた領域が菱形を呈する。
【００３０】
第１実施形態のスクリーン１は、各遮光部材６が互いに平行で等間隔に配置されていたのに対し、本実施形態のスクリーン１は、複数の第１遮光部材１６Ａ、複数の第２遮光部材１６Ｂを構成する各遮光部材１６が互いに平行で不等間隔に配置されている。すなわち、隣り合う第１遮光部材１６Ａ間のピッチ、隣り合う第２遮光部材１６Ｂ間のピッチはそれぞれ一定ではない。このとき、スクリーン１内の一部の領域の各遮光部材間のピッチが互いに異なり、その異なるピッチのパターンを他の領域で繰り返す構成でも良いが、スクリーン１の全面にわたって第１遮光部材１６Ａの各遮光部材１６のピッチがランダムに設定されていることが望ましい。その場合、モアレの発生を最も効率的に抑制できる。
【００３１】
第１実施形態のように遮光部材６をスクリーン１の水平方向および垂直方向に対して傾けて配置した場合であっても、各遮光部材６が互いに平行で等間隔に配置されていると、図６（Ａ）に示すように、第１遮光部材６Ａと第２遮光部材６Ｂと画素の格子構造Ｓ１とが交差する交点（２点鎖線で囲んだ円Ｋで示す）が一定間隔おきに連続的に発生する。この場合、交点Ｋの間隔や配置によってはモアレが発生する虞がある。
【００３２】
これに対して、本実施形態のスクリーン１１によれば、各遮光部材１６が互いに平行で不等間隔に配置されているため、図６（Ｂ）に示すように、第１遮光部材１６Ａと第２遮光部材１６Ｂと画素の格子構造Ｓ１とが交差する交点が一定間隔で連続的に発生することがない。これにより、第１実施形態のスクリーン１に比べてさらにモアレの発生を抑制できる。
【００３３】
また、外乱光に比べて画像光の方をより多く反射するので、コントラストの高い画像を表示できるという効果が得られる点は第１実施形態と同様である。さらに本実施形態の場合、第１遮光部材１６Ａを含む第１遮光層１２と第２遮光部材１６Ｂを含む第２遮光層１３とが積層されているため、スクリーン１の製作が容易になるとともに、各遮光部材１６の形状、配置等の設計の自由度が高まる。
【００３４】
［第３実施形態］
以下、本発明の第３実施形態について図７を参照して説明する。
本実施形態のスクリーンの基本構成は第１、第２実施形態と同様であり、遮光部材の配置が第１、第２実施形態と異なるのみである。
図７は本実施形態のスクリーンを拡大視した平面図である。図７において、第１実施形態で用いた図１と共通の構成要素には同一の符号を付し、詳細な説明は省略する。
【００３５】
第１、第２実施形態のスクリーンは、各遮光部材の回転角度θが０°＜θ＜±４５°であったのに対し、本実施形態のスクリーン２１は、各遮光部材２６の回転角度θが±４５°＜θ＜±９０°である点が異なっている。すなわち、本実施形態のスクリーン２１において、複数の遮光部材２６は、図７に示すように、回転角度θが＋４５°＜θ＜＋９０°である複数の第１遮光部材２６Ａ（図７において右下がりに延在する遮光部材）と、回転角度θが−４５°＜θ＜−９０°である複数の第２遮光部材（図７において右上がりに延在する遮光部材）と、を含んでいる。本実施形態においては、複数の第１遮光部材２６Ａ、複数の第２遮光部材２６Ｂを構成する各遮光部材２６は互いに平行で等間隔に配置されている。また、第１遮光部材２６Ａの回転角度θと第２遮光部材２６Ｂの回転角度θとは、絶対値が等しく、符号が逆である。すなわち、複数の第１遮光部材２６Ａと複数の第２遮光部材２６Ｂとが組み合わされ、隣り合う２つの第１遮光部材と隣り合う２つの第２遮光部材とによって囲まれた領域は、第１、第２実施形態では横長の菱形であったのに対し、本実施形態では縦長の菱形を呈している。
【００３６】
本実施形態のスクリーン２１においても、外乱光に比べて画像光の方をより多く反射するので、コントラストの高い画像を表示できる、という第１実施形態と同様の効果が得られる。また、第１、第２実施形態のスクリーンでは、各遮光部材６，１６の延在方向が垂直方向よりも水平方向に近いため、光反射層３からの反射光の射出角度が表示面の水平方向でより広がり、水平方向に広い視野角特性を有するスクリーンを実現できる。一方、本実施形態のスクリーン２１では、各遮光部材２６の延在方向が水平方向よりも垂直方向に近いため、光反射層３からの反射光の射出角度が表示面の垂直方向でより広がり、垂直方向に広い視野角特性を有するスクリーンを実現できる。
【００３７】
ここで、第１〜第３実施形態のスクリーン１，１１，２１は、全て、隣り合う２つの第１遮光部材６Ａ，１６Ａ，２６Ａと隣り合う２つの第２遮光部材６Ｂ，１６Ｂ，２６Ｂとによって囲まれた領域の形状が菱形であった。
この形状による効果について以下、説明する。
上述したように、上記実施形態のスクリーン１，１１，２１によれば、図８に示すように、スクリーン１，１１，２１に対して斜め下側から入射する画像光Ｌ１は、光反射層３で反射し、観察者側に戻る一方、斜め上側から入射する外乱光Ｌ２は、複数の遮光部材６，１６，２６で遮断され、遮光部材６，１６，２６の影となる部分Ｂができる。
【００３８】
隣り合う遮光部材の垂直方向のピッチがａ、隣り合う遮光部材の水平方向のピッチがａの遮光部材で囲まれた領域の面積を単位面積としたとき、光反射層３の表面からの遮光部材の張出寸法をａとし、スクリーンに対して斜め上方４５°の角度から外乱光が入射すると仮定する。図９（Ａ）に示すように、遮光部材で囲まれた領域の形状が正方形であり、正方形の各辺をスクリーンの水平方向、垂直方向と平行に配置した場合、単位面積Ｓがａ２、遮光部材で囲まれた領域の上半分が影となるので、影の部分Ｂの面積はａ２／２となる。すなわち、単位面積あたりの影の面積の割合は５０％となる。
【００３９】
これに対して、遮光部材で囲まれた領域の形状が正方形であっても、図９（Ｂ）に示すように、正方形の各辺をスクリーンの水平方向、垂直方向に対して４５°をなすように傾けて配置した場合、単位面積がａ２／２、影の部分Ｂの面積は（ａ２／２）×３／４となる。すなわち、単位面積あたりの影の面積の割合は７５％となる。
【００４０】
また、第１実施形態のように各遮光部材の回転角度を０°＜θ＜±４５°、より具体的には、図９（Ｃ）に示すように、各遮光部材の回転角度をθ＝±３０°とし、垂直方向のピッチをａで統一した場合、単位面積がａ２×√３／２、影の部分Ｂの面積は（ａ２×√３／２）×３／４となる。すなわち、単位面積あたりの影の面積の割合は７５％となる。
【００４１】
このように、上記実施形態のスクリーン１，１１，２１は、遮光部材で囲まれた領域の平面形状が正方形を呈するものに比べてモアレに強いだけでなく、表示面の単位面積あたりの外乱光の影の面積の割合を大きくでき、コントラストをより高められる。
【００４２】
［第４実施形態］
以下、本発明の第４実施形態について図１０を参照して説明する。
本実施形態は、上記第１〜第３実施形態のスクリーンを備えたプロジェクションシステムの一例である。
図１０は本実施形態のプロジェクションシステムの概略構成図である。
【００４３】
本実施形態のプロジェクションシステム３０は、図１０に示すように、プロジェクター３１と、第１〜第３実施形態のスクリーン１，１１，２１とから構成されている。プロジェクター３１は、光源３２、ダイクロイックミラー３３，３４、反射ミラー３５，３６，３７、入射レンズ３８、リレーレンズ３９、出射レンズ４０、液晶ライトバルブ４１Ｒ，４１Ｇ，４１Ｂ、クロスダイクロイックプリズム４２、投射レンズ４３等から構成されている。その他、光源３２から射出される光の照度分布を均一化するためのインテグレータ光学系、光源３２から射出される光の偏光状態を液晶ライトバルブ４１Ｒ，４１Ｇ，４１Ｂで用いる偏光に揃える偏光変換光学系を備えていても良い。
【００４４】
光源３２は、高圧水銀ランプ、メタルハライドランプ等のランプ４４と、ランプ４４の光を反射するリフレクタ４５とから構成されている。ダイクロイックミラー３３は、光源３２からの白色光に含まれる赤色光を透過させるとともに、青色光と緑色光とを反射する機能を有している。ダイクロイックミラー３４は、青色光を透過させるとともに、緑色光を反射する機能を有している。よって、ダイクロイックミラー３３を透過した赤色光は反射ミラー３５で反射されて、赤色光用液晶ライトバルブ４１Ｒに入射される。また、ダイクロイックミラー３３で反射された緑色光は、ダイクロイックミラー３４によって反射され、緑色光用液晶ライトバルブ４１Ｇに入射される。
【００４５】
さらに、ダイクロイックミラー３３で反射された青色光は、ダイクロイックミラー３４を透過する。青色光に対しては、長い光路による光損失を防ぐため、入射レンズ３８、リレーレンズ３９および出射レンズ４０を含むリレーレンズ系からなる導光光学系４６が設けられている。この導光光学系４６を介して青色光が青色光用液晶ライトバルブ４１Ｂに入射される。
【００４６】
各液晶ライトバルブ４１Ｒ，４１Ｇ，４１Ｂによって変調された３つの色光は、クロスダイクロイックプリズム４２に入射する。このクロスダイクロイックプリズム４２は４つの直角プリズムを貼り合わせたものであり、その界面には赤光を反射する誘電体多層膜と青光を反射する誘電体多層膜とがＸ字状に形成されている。これらの誘電体多層膜により３つの色光が合成されて、カラー画像を表す光が形成される。合成された光は、投射光学系である投射レンズ４３によってスクリーン１，１１，２１上に投影され、画像が拡大表示される。
【００４７】
本実施形態によれば、上記第１〜第３実施形態のスクリーン１，１１，２１を備えているため、高コントラストで鮮明な画像を表示可能なプロジェクションシステムを構築できる。
【００４８】
なお、本発明の技術範囲は上記実施形態に限定されるものではなく、本発明の趣旨を逸脱しない範囲において種々の変更を加えることが可能である。例えば上記実施形態では、第１遮光部材、第２遮光部材を構成する複数の遮光部材が互いに平行に配置された例を示したが、必ずしも複数の遮光部材が互いに平行に配置されていなくても良く、スクリーン上の場所に応じて回転角度が異なっており、複数の遮光部材が非平行に配置されていても良い。また、第２実施形態では、第１遮光部材、第２遮光部材ともに、複数の遮光部材が不等間隔に配置された例を示したが、この構成に代えて、第１遮光部材、第２遮光部材のいずれか一方のみを不等間隔に配置する構成としても良い。その他、各構成部材の形成材料等については、上記実施形態の記載に限定されることなく、適宜変更が可能である。
【符号の説明】
【００４９】
１，１１，２１…スクリーン、３…光反射層、４…遮光層、６，１６，２６…遮光部材、６Ａ，１６Ａ，２６Ａ…第１遮光部材、６Ｂ，１６Ｂ，２６Ｂ…第２遮光部材、７…光反射層、８…光吸収層、１２…第１遮光層、１３…第２遮光層、３０…プロジェクションシステム、３１…プロジェクター。
【図１】
2010197565.tif 000003
【図２】
2010197565.tif 000004
【図３】
2010197565.tif 000005
【図４】
2010197565.tif 000006
【図５】
2010197565.tif 000007
【図６】
2010197565.tif 000008
【図７】
2010197565.tif 000009
【図８】
2010197565.tif 000010
【図９】
2010197565.tif 000011
【図１０】
2010197565.tif 000012